(57)【要約】  【課題】磁性ブレードによる磁性トナーのせき止めを回避するとともに、安定したシール性能を長期にわたって発揮することができる現像装置、およびこれを備えた画像形成装置を提供することを目的とする。  【解決手段】現像装置は、回転自在に軸支された非磁性の現像スリーブ２６を有する現像ローラ２７と、現像スリーブ２６の近傍に配設された磁性ブレード２８と、現像スリーブ２６の長手方向Ｘ端部に配設された磁性体シール部材２９とを備えている。そして、磁性ブレード２８の端部２８ａが、現像スリーブ２６の長手方向Ｘにおいて、磁性体シール部材２９の内側端部２９ａよりも更に内側に配置されている。そうすると、現像スリーブ２６の回転方向下流側へ移動してきた磁性トナーが、磁性ブレード２８によりせき止められることがなくなる。  【選択図】  図４
2006106115.tif 000002
【特許請求の範囲】
【請求項１】
複数の磁極を有する固定マグネットローラを内包するとともに、トナーを感光体の表面上に導くために回転自在に軸支された現像スリーブからなる現像ローラと、前記現像スリーブの近傍に配設され、前記トナーの厚みを規制する磁性ブレードと、前記現像スリーブの長手方向端部に前記現像スリーブの外周面に対して間隔を隔てて配設された磁性体シール部材と、を備える現像装置において、
前記磁性ブレードの端部が、前記現像スリーブの長手方向において、前記磁性体シール部材の内側端部よりも更に内側に配置されていることを特徴とする現像装置。
【請求項２】
前記磁性ブレードの、前記現像スリーブの回転方向上流側には、前記現像スリーブに対向させて磁石体が設けられるとともに、前記磁石体の、前記現像ローラのブレード極に対向する部分の磁極が、前記ブレード極と同極であることを特徴とする請求項１に記載の現像装置。
【請求項３】
複数の磁極を有する固定マグネットローラを内包するとともに、トナーを感光体の表面上に導くために回転自在に軸支された現像スリーブからなる現像ローラと、前記現像スリーブの近傍に配設され、前記トナーの厚みを規制する磁性ブレードと、前記現像スリーブの長手方向端部に前記現像スリーブの外周面に対して間隔を隔てて配設された磁性体シール部材と、を備える現像装置において、
前記磁性ブレードの、前記現像スリーブと対向する端部のうち、前記磁性体シール部材の近傍に位置する部分が、前記磁性体シール部材の、前記現像スリーブの外周面と対向する部分よりも上方に配置されていることを特徴とする現像装置。
【請求項４】
前記磁性ブレードの、前記現像スリーブの回転方向上流側には、前記現像スリーブに対向させて磁石体が設けられるとともに、前記磁石体の、前記現像ローラのブレード極に対向する部分の磁極が、前記ブレード極と同極であることを特徴とする請求項３に記載の現像装置。
【請求項５】
請求項１乃至請求項４のいずれかに記載の現像装置を備えることを特徴とする画像形成装置。
【発明の詳細な説明】
【技術分野】
【０００１】
本発明は、磁性トナー（以下、「トナー」と言う場合がある。）を用いて電子写真現像法により現像を行う現像装置に係り、特に、現像領域外への磁性トナーの飛散を防止する現像装置、及びこれを備えた画像形成装置に関する。
【背景技術】
【０００２】
一般に、電子写真現像法のプリンタやファクシミリ、複写機などの画像形成装置には、原稿の画像データに基づく静電潜像が形成された感光体の表面にトナー像を形成するために、現像剤を収容する現像装置が設けられている。
【０００３】
又、従来、この様な現像装置においては、現像領域外へトナーが流出するのを防止するためのシール部材が設けている。当該シール部材としては、例えば、磁性体により構成された磁性体シール部材が利用されており、現像ローラの長手方向の両端部に、現像スリーブの外周面に対して一定の間隔をもって磁性体シール部材を配設し、トナーの流出を防止することが一般に行われている。より具体的には、固定マグネットの磁力により現像スリーブ上に担持された磁性トナーを、固定マグネットの端部と磁性体シール部材との隙間に形成される磁界によって拘束する。そして、現像スリーブと磁性体シール部材との隙間に磁性トナーの穂立ちによる磁気ブラシを形成させることにより、流出しようとする磁性トナーを阻止してシール作用を行う構成となっている（例えば、特許文献１参照）。
【０００４】
又、上述のごとく、磁性体シール部材は、現像スリーブの外周面に対して一定の間隔を隔てて配設されるが、磁性体シール部材の取り付けバラツキや、固定マグネットの磁力により磁性体シール部材が現像スリーブ側へ移動することにより、磁性体シール部材が現像スリーブと接触してしまう恐れがある。従って、磁性体シール部材と現像スリーブの外周面との間隔を、トナー薄層形成に必要な間隔よりも大きく設定しておく必要がある。
【特許文献１】特開平２−２６２１７１号公報
【発明の開示】
【発明が解決しようとする課題】
【０００５】
ここで、一般に、磁性体シール部材の磁気拘束力は、図９に示す様に、現像ローラ５４に設けられた磁性体シール部材５０の内側端部５０ａ側に集中している。そして、この部分において、固定マグネット５１の端部と磁性体シール部材５０との隙間に形成される磁界によって磁性トナーが拘束され、現像スリーブ５２と磁性体シール部材５０との隙間に磁性トナーの穂立ちによる磁気ブラシＣが形成される構成となっている。
【０００６】
しかし、上記従来の現像装置の構成では、以下に示す不都合が生じてしまう。即ち、上記内側端部５０ａ側にて拘束された磁性トナーは、図９のＡ−Ａ断面図である図１０に示す図中の矢印方向に回転する現像スリーブ５２の回転力により、当該回転方向下流側へ少しずつ移動する。従って、図１０に示す様に、磁性ブレード５３と現像スリーブ５２の外周面との間隔Ａが、磁性体シール部材５０と現像スリーブ５２の外周面との間隔Ｂよりも小さい場合において、現像スリーブ５２の回転力により上記回転方向下流側へ移動してきた磁性トナーＴが、磁性ブレード５３によりせき止められてしまう。そうすると、磁性体シール部材５０と現像スリーブ５２の隙間において、磁性トナーＴの目詰まりが発生してしまい、結果として、磁性体シール部材５０のシール性能が低下してしまい、せき止められた磁性トナーＴが現像領域外へ流出してしまうという問題が生じていた。
【０００７】
そこで、本発明は、上述の問題に鑑みてなされたものであり、磁性ブレードによる磁性トナーのせき止めを回避するとともに、安定したシール性能を長期にわたって発揮することができる現像装置、およびこれを備えた画像形成装置を提供することを目的とする。
【課題を解決するための手段】
【０００８】
上記目的を達成するために、本発明の第１の現像装置は、複数の磁極を有する固定マグネットローラを内包するとともに、トナーを感光体の表面上に導くために回転自在に軸支された現像スリーブからなる現像ローラと、現像スリーブの近傍に配設され、トナーの厚みを規制する磁性ブレードと、現像スリーブの長手方向端部に現像スリーブの外周面に対して間隔を隔てて配設された磁性体シール部材と、を備え、磁性ブレードの端部が、現像スリーブの長手方向において、磁性体シール部材の内側端部よりも更に内側に配置されていることを特徴とする。
【０００９】
ここで、本発明の第１の現像装置においては、磁性ブレードの、現像スリーブの回転方向上流側には、現像スリーブに対向させて磁石体が設けられるとともに、磁石体の、現像ローラのブレード極に対向する部分の磁極が、ブレード極と同極であるものとすることができる。
【００１０】
又、本発明の第２の現像装置は、複数の磁極を有する固定マグネットローラを内包するとともに、トナーを感光体の表面上に導くために回転自在に軸支された現像スリーブからなる現像ローラと、現像スリーブの近傍に配設され、トナーの厚みを規制する磁性ブレードと、現像スリーブの長手方向端部に現像スリーブの外周面に対して間隔を隔てて配設された磁性体シール部材と、を備え、磁性ブレードの、現像スリーブと対向する端部のうち、磁性体シール部材の近傍に位置する部分が、磁性体シール部材の、現像スリーブの外周面と対向する部分よりも上方に配置されていることを特徴とする。
【００１１】
ここで、本発明の第２の現像装置においては、磁性ブレードの、現像スリーブの回転方向上流側には、現像スリーブに対向させて磁石体が設けられるとともに、磁石体の、現像ローラのブレード極に対向する部分の磁極が、ブレード極と同極であるものとすることができる。
【００１２】
又、本発明の画像形成装置は、上述のいずれかに記載の現像装置を備えることを特徴とする。
【発明の効果】
【００１３】
本発明の第１の現像装置によれば、磁性ブレードの端部が、現像スリーブの長手方向において、磁性体シール部材の内側端部よりも更に内側に配置される構成としている。従って、磁性ブレードと現像スリーブの外周面との間隔を、磁性体シール部材と現像スリーブの外周面との間隔よりも小さく設定した場合においても、現像スリーブの回転力により当該回転方向下流側へ移動してきた磁性トナーが、磁性ブレードによりせき止められることがなくなる。その結果、磁性体シール部材と現像スリーブの隙間において、磁性トナーの目詰まりが発生しなくなるため、磁性体シール部材のシール性能が長期に渡って向上するとともに、現像領域外へのトナーの流出を効果的に防止することが可能になる。
【００１４】
又、磁性ブレードの、現像スリーブの回転方向上流側に、現像スリーブに対向させて磁石体を設けるとともに、磁石体の、現像ローラのブレード極に対向する部分の磁極を、ブレード極と同極にする構成としている。従って、磁性体シール部材と磁石体の隙間に磁界が形成されるとともに、当該磁界によって、磁性トナーが拘束されることになる。その結果、磁性体シール部材のシール性能が長期に渡って更に向上するため、現像スリーブの長手方向において、磁性ブレードの端部と磁性体シール部材の内側端部との間に隙間が形成される場合で合っても、現像領域外へのトナーの流出を確実に防止することが可能になる。
【００１５】
又、本発明の第２の現像装置によれば、磁性ブレードの、現像スリーブと対向する端部のうち、磁性体シール部材の近傍に位置する部分を、磁性体シール部材の、現像スリーブの外周面と対向する部分よりも上方に配置する構成としている。従って、磁性体シール部材の、磁気ブラシが形成される部分における、磁性ブレードと現像スリーブの外周面との間隔が、磁性体シール部材と現像スリーブの外周面との間隔よりも大きくなるため、現像スリーブの回転力により当該回転方向下流側へ移動してきた磁性トナーが、磁性ブレードによりせき止められることがなくなる。その結果、磁性体シール部材と現像スリーブの隙間において、磁性トナーの目詰まりが発生しなくなるため、磁性体シール部材のシール性能が長期に渡って向上するとともに、現像領域外へのトナーの流出を効果的に防止することが可能になる。
【００１６】
又、磁性ブレードの、現像スリーブの回転方向上流側に、現像スリーブに対向させて磁石体を設けるとともに、磁石体の、現像ローラのブレード極に対向する部分の磁極を、ブレード極と同極にする構成としている。従って、磁性体シール部材と磁石体の隙間に磁界が形成されるとともに、当該磁界によって、磁性トナーが拘束されることになる。その結果、磁性体シール部材のシール性能が長期に渡って更に向上するため、現像スリーブの長手方向において、磁性ブレードの端部と磁性体シール部材の内側端部との間に隙間が形成される場合で合っても、現像領域外へのトナーの流出を確実に防止することが可能になる。
【００１７】
又、本発明の画像形成装置によれば、上述のいずれかに記載の現像装置を備える構成としているため、上述のいずれかに記載の現像装置と同じ効果を得ることが可能になる。
【発明を実施するための最良の形態】
【００１８】
以下に、本発明の具体的な実施形態について図面を参照しながら説明する。図１は、本発明の実施形態に係る画像形成装置の全体構成を示す概略図である。
図１に示す様に、この画像形成装置１は、画像形成装置本体１ａの下部に配設された給紙部２と、この給紙部２の側方及び上方に配設された用紙搬送部３と、この用紙搬送部３の上方に配設された画像形成部４と、この画像形成部４よりも排出側に配設された定着部５と、これらの画像形成部４、及び定着部５の上方に配設された画像読取部６を備えている。
【００１９】
給紙部２は、用紙９が収容された複数（本実施形態においては４つ）の給紙カセット７を備えており、給紙ローラ８の回転動作により、当該複数の給紙カセット７のうち選択された給紙カセット７から用紙９が用紙搬送部３側に送り出され、用紙９が１枚ずつ確実に用紙搬送部３に給紙されるように構成されている。尚、これら４つの給紙カセット７は、画像形成装置本体１ａに対し、着脱自在となるように構成されている。
【００２０】
用紙搬送部３に給紙された用紙９は、用紙供給経路１０を経由して画像形成部４に向けて搬送される。この画像形成部４は、電子写真プロセスによって、用紙９に所定のトナー像を形成するものであり、所定の方向（図中の矢印方向）に回転可能に軸支された像端持体である感光体１１と、この感光体１１の周囲にその回転方向に沿って、帯電装置１２、露光装置１３、現像装置１４、転写装置１５、クリーニング装置１６、及び除電装置１７を備えている。
【００２１】
帯電装置１２は、高電圧が印加される帯電ワイヤを備えており、この帯電ワイヤからのコロナ放電によって感光体１１の表面に所定電位を与えることにより、感光体１１の表面が一様に帯電させられる。そして、露光装置１３により、画像読取部６によって読み取られた原稿の画像データに基づく光が、感光体１１に照射されることにより、感光体１１の表面電位が選択的に減衰されて、この感光体１１の表面に静電潜像が形成される。次いで、現像装置１４により、上記静電潜像にトナーが付着し、感光体１１の表面にトナー像が形成され、転写装置１５により、感光体１１の表面のトナー像が、感光体１１と転写装置１５との間に供給された用紙９に転写される。
【００２２】
トナー像が転写された用紙９は、画像形成部４から定着部５に向けて搬送される。この定着部５は、画像形成部４の用紙搬送方向の下流側に配置されており、画像形成部４においてトナー像が転写された用紙９は、定着部５に設けられた加熱ローラ１８、及び当該加熱ローラ１８に押し付けられる加圧ローラ１９によって挟まれるとともに加熱され、用紙９上にトナー像が定着される。次いで、画像形成部４から定着部５において画像形成がなされた用紙９は、排出ローラ対２０によって排出トレイ２１上に排出される。一方、上記転写後、感光体１１の表面に残留しているトナーは、クリーニング装置１６により除去され、感光体１１の表面の残留電荷は、除電装置１７により除去される。そして、感光体１１は帯電装置１２によって再び帯電され、以下同様にして画像形成が行われることになる。
【００２３】
次に、図面を参照して現像装置について説明する。図２は、本発明の実施形態に係る画像形成装置における現像装置を示す断面図であり、図３は、図２に示す現像装置に設けられた現像ローラを感光体側から見た場合の正面図である。
【００２４】
図２に示す様に、本実施形態に係る現像装置１４は、トナーを収納する現像容器２２、当該現像容器２２内に配設された一対のミキサ２３、２４を備えている。又、現像容器２２のドラム開口側に配設され、複数の磁極を有する固定マグネットローラ２５と、当該固定マグネットローラ２５を内包するとともに、収納されたトナーを感光体１１の表面上に導くために回転自在に軸支された非磁性の現像スリーブ２６からなる現像ローラ（又は、トナー担持ローラ）２７を備えている。更に、板状の磁性体により構成され、現像スリーブ２６の近傍に配設されるとともに、当該現像スリーブ２６上面に向け垂下する磁性ブレード２８と、現像スリーブ２６の長手方向（図３に示した矢印Ｘの方向）端部に配設された磁性体シール部材２９と、現像ローラ２７と感光体１１間に印加される現像バイアス４０を備えている。
【００２５】
ミキサ２３上方の現像容器２２の上面にはトナー補給孔Ｈが開口されており、不図示のトナーカートリッジによりのトナーが投入可能となるように構成されている。投入されたトナーは、一対のミキサ２３、２４により十分攪拌されて現像スリーブ２６に導かれる。現像スリーブ２６に導かれたトナーは、固定マグネットローラ２５の磁力を利用して現像スリーブ２６上に担持され、当該トナーは、現像スリーブ２６の近傍に配設され、トナー層厚規制部材として作用する磁性ブレード２８により厚みが規制される。尚、本実施形態においては、磁性ブレード２８と現像スリーブ２６の外周面との間隔Ｅ（図５参照）は、０．３ｍｍに設定されている。その後、現像スリーブ２６上に担持されたトナーは、現像ローラ２７により、現像位置、即ち、感光体１１の表面上に導かれる。
【００２６】
現像スリーブ２６は所定の周速に設定するが、当該現像スリーブ２６は、感光体１１の回転方向に対して、ドラム−スリーブ間において同方向に回転するように設定されている（図２参照）。又、現像スリーブ２６は感光体１１と所定の距離を隔てて配置されている。現像バイアス４０は直流成分ＤＣと交流成分ＡＣが重畳された低電界現像バイアスが印加されており、画像濃度の調整はＡＣの発振周波数をコントロールすることで行なわれる。
【００２７】
尚、固定マグネットローラ２５の磁極配置は、図２に示す様に、現像位置付近にＮ極の現像極Ｎ１、この現像極Ｎ１に隣接した引き込み極Ｓ１、引き込み極Ｓ１に隣接してなる搬送極Ｎ２、更に、これに隣接してなる汲み上げ極Ｓ３、汲み上げ極Ｓ３に隣接してなる飛散防止極Ｎ３、及び飛散防止極Ｎ３に隣接したブレード極Ｓ２が夫々配置されている。
【００２８】
又、磁性体シール部材２９は、現像スリーブ２６の長手方向端部からトナーが漏れるのを防止するためのものであり、図３に示す様に、現像スリーブ２６の長手方向Ｘの両端部に現像スリーブ２６の外周面に対して一定の間隔Ｄを隔てて配設されている（後述の図５参照）。尚、当該間隔Ｄは、０．１〜１ｍｍに設定することができ、本実施形態においては、間隔Ｄは０．４ｍｍに設定されている。
【００２９】
又、この磁性体シール部材２９は、磁性体（例えば、磁石や強磁性体）により形成されており、現像スリーブ２６の端部から外側に流出するように移動するトナーは、固定マグネットローラ２５と磁性体シール部材２９との隙間に形成される磁界によって拘束される。そして、固定マグネットローラ２５の磁極と磁性体シール部材２９の磁極により形成される各磁力線に沿って、磁性体シール部材２９の磁気拘束力が集中する内側端部２９ａにおいてトナーの穂立ちによる磁気ブラシＦ（後述の図４参照）が形成される。そして、当該磁気ブラシＦが現像スリーブ２６の外周面と、磁性体シール部材２９の表面との隙間を埋めることにより、トナーが現像領域外に流出するのを防止する構成となっている。尚、当該磁性体シール部材２９は、図２、図３に示す様に、現像スリーブ２６を介して、感光体１１とは反対側に配設されている。
【００３０】
かかる構成において、本実施形態においては、磁性体シール部材と磁性ブレードの位置関係、及び現像スリーブに対向させて磁石体を設けた点に特徴がある。以下に図面を参照して詳細に説明する。図４は、本発明の実施形態に係る現像装置における磁性体シール部材と磁性ブレードの位置関係を説明するための断面図であり、図５は、本発明の実施形態に係る現像装置における磁石体の配置を説明するための部分拡大図である。
【００３１】
図４に示す様に、本実施形態においては、現像スリーブ２６の長手方向Ｘにおける磁性ブレード２８の端部２８ａが、当該長手方向Ｘにおいて、磁性体シール部材２９の内側端部２９ａよりも更に内側に配置される構成となっている。
【００３２】
上述の図９の場合と同様に、磁性体シール部材２９の内側端部２９ａ側にて拘束された磁性トナーは、図５に示す矢印の方向に回転する現像スリーブ２６の回転力により、当該回転方向下流側へ少しずつ移動する。しかし、本実施形態においては、磁性ブレード２８の端部２８ａが、現像スリーブ２６の長手方向Ｘにおいて、磁性体シール部材２９の内側端部２９ａよりも更に内側に位置している。従って、磁性ブレード２８と現像スリーブ２６の外周面との間隔Ｅを、磁性体シール部材２９と現像スリーブ２６の外周面との間隔Ｄよりも小さく設定した場合においても、現像スリーブ２６の回転力により上記回転方向下流側へ移動してきた磁性トナーＴが、磁性ブレード２８によりせき止められることがなくなる。従って、磁性体シール部材２９と現像スリーブ２６の隙間において、磁性トナーＴの目詰まりが発生しなくなる。そして、当該磁性トナーＴは、現像スリーブ２６上に担持された状態で、磁性ブレード２８を通過するとともに、図５に示す様に、固定マグネットローラ２５と磁性体シール部材２９との隙間に形成される磁界によって再び拘束されることになる。その結果、磁性体シール部材２９のシール性能が長期に渡って向上するため、現像領域外への磁性トナーＴの流出を効果的に防止することが可能になる。
【００３３】
尚、磁性ブレード２８の端部２８ａを磁性体シール部材２９の内側端部２９ａよりも更に内側に配置した場合、図４に示す様に、現像スリーブ２６の長手方向Ｘにおいて、磁性ブレード２８の端部２８ａと磁性体シール部材２９の内側端部２９ａとの間に隙間（例えば、０．５ｍｍ程度の隙間）が形成される場合があり、当該隙間から磁性トナーＴが現像領域外へ漏れてしまう場合も考えられる。
【００３４】
そこで、本実施形態においては、図４、図５に示す様に、磁性ブレード２８の現像スリーブ２６回転方向上流側に、当該現像スリーブ２６に対向させて磁石体３０を設ける構成としている。より具体的には、例えば、図５に示す様に、磁性ブレード２８の現像スリーブ２６回転方向上流側面２８ｂに、磁石体３０を取付ける構成とすることができる。
【００３５】
又、図６に示す様に、磁石体３０の、現像ローラ２７のブレード極Ｓ２に対向する部分３０ａの磁極が、当該ブレード極Ｓ２と同極（即ち、Ｓ極）である点に特徴がある。このような構成とすることにより、磁性体シール部材２９と磁石体３０の隙間に磁界が形成されるとともに、当該磁界によって、磁性トナーＴが拘束されることになる。従って、図４に示す様に、磁性体シール部材２９の磁極と磁石体３０の磁極により形成される各磁力線に沿って、トナーの穂立ちによる新たな磁気ブラシＧが形成され、当該磁気ブラシＧが、現像スリーブ２６の長手方向Ｘにおける磁性ブレード２８の端部２８ａと、磁性体シール部材２９の内側端部２９ａとの隙間を埋めることになる。その結果、磁性体シール部材２９のシール性能が長期に渡って更に向上するため、現像スリーブ２６の長手方向Ｘにおいて、磁性ブレード２８の端部２８ａと磁性体シール部材２９の内側端部２９ａとの間に隙間が形成される場合で合っても、現像領域外への磁性トナーＴの流出を確実に防止することが可能になる。
【００３６】
尚、上記実施形態は、単なる説明例であり、本発明の範囲は、上記実施形態に限定されるものではなく、本発明の趣旨に基づいて各構成物品の形状、寸法、材料等を変更することが可能であり、それらを本発明の範囲から除外するものではない。
【００３７】
例えば、図７、図８に示す様に、磁性ブレード２８の、現像スリーブ２６と対向する端部２８ｃのうち、磁性体シール部材２９の近傍に位置する部分２８ｄが、磁性体シール部材２９の円弧形状部２９ｂ（即ち、現像スリーブ２６の外周面と対向する部分）よりも上方に位置する構成とすることができる。
【００３８】
この様な構成にすることにより、磁性体シール部材２９の、磁気ブラシＦが形成される部分における、磁性ブレード２８と現像スリーブ２６の外周面との間隔Ｅが、磁性体シール部材２９と現像スリーブ２６の外周面との間隔Ｄよりも大きくなる。その結果、現像スリーブ２６の回転力により上記回転方向下流側へ移動してきた磁性トナーＴが、磁性ブレード２８によりせき止められることがなくなる。従って、上記実施形態と同様に、磁性体シール部材２９と現像スリーブ２６の隙間において、磁性トナーＴの目詰まりが発生しなくなるため、結果として、磁性体シール部材２９のシール性能が長期に渡って向上するとともに、現像領域外への磁性トナーＴの流出を効果的に防止することが可能になる。
【００３９】
又、この場合も、上記実施形態と同様に、磁性ブレード２８の現像スリーブ２６回転方向上流側に、当該現像スリーブ２６に対向させて磁石体３０を設けるとともに、磁石体３０の、現像ローラ２７のブレード極Ｓ２に対向する部分３０ａの磁極を、当該ブレード極Ｓ２と同極であるＳ極とすることができる。従って、本構成により、上記実施形態において説明した効果と同様の効果を得ることが可能になる。
【００４０】
又、上記実施形態においては、画像形成装置の一例として、デジタル複写機を示したが、ファクシミリやプリンタ等の他の画像形成装置であっても良いことは言うまでもない。
【産業上の利用可能性】
【００４１】
本発明の活用例としては、磁性トナーを用いて電子写真現像法により現像を行う現像装置に係り、特に、現像領域外への磁性トナーの飛散を防止する現像装置、及びこれを備えた画像形成装置に関する。
【図面の簡単な説明】
【００４２】
【図１】本発明の実施形態に係る画像形成装置の全体構成を示す概略図である。
【図２】本発明の実施形態に係る画像形成装置における現像装置を示す断面図である。
【図３】図２に示す現像装置に設けられた現像ローラを感光体側から見た場合の正面図である。
【図４】本発明の実施形態に係る現像装置における磁性体シール部材と磁性ブレードの位置関係を説明するための断面図である。
【図５】本発明の実施形態に係る現像装置における磁石体の配置を説明するための部分拡大図である。
【図６】本発明の実施形態に係る現像装置における磁石体の磁極配置を説明するための部分拡大図である。
【図７】本発明の実施形態に係る現像装置の変形例における磁性体シール部材と磁性ブレードの位置関係を説明するための断面図である。
【図８】本発明の実施形態に係る現像装置の変形例における磁石体の配置を説明するための部分拡大図である。
【図９】従来の現像装置における磁性体シール部材と磁性ブレードの位置関係を説明するための断面図である。
【図１０】従来の現像装置における磁性トナーの目詰まりを説明するための部分拡大図である。
【符号の説明】
【００４３】
１…画像形成装置、２…給紙部、３…用紙搬送部、４…画像形成部、５…定着部、６…画像読取部、１１…感光体、１４…現像装置、２５…固定マグネットローラ、２６…現像スリーブ、２７…現像ローラ、２８…磁性ブレード、２８ａ…現像スリーブの長手方向における磁性ブレードの端部、２８ｃ…磁性ブレードの、現像スリーブと対向する端部、２８ｄ…磁性ブレードの、現像スリーブと対向する端部のうち、磁性体シール部材の近傍に位置する部分、２９…磁性体シール部材、２９ａ…磁性体シール部材の内側端部、３０…磁石体、３０ａ…磁石体の、現像ローラのブレード極に対向する部分、３０ｂ…現像ローラのブレード極に対向する部分、Ｄ…磁性体シール部材と現像スリーブの外周面との間隔、Ｅ…磁性ブレードと現像スリーブの外周面との間隔、Ｆ…磁気ブラシ、Ｇ…磁気ブラシ、Ｓ２…ブレード極、Ｔ…磁性トナー、Ｘ…現像スリーブの長手方向
【図１】
2006106115.tif 000003
【図２】
2006106115.tif 000004
【図３】
2006106115.tif 000005
【図４】
2006106115.tif 000006
【図５】
2006106115.tif 000007
【図６】
2006106115.tif 000008
【図７】
2006106115.tif 000009
【図８】
2006106115.tif 000010
【図９】
2006106115.tif 000011
【図１０】
2006106115.tif 000012